(57)【要約】【課題】尿で固まったトイレ砂の塊や糞を容易かつ衛生的に選り分けて捨てることができるとともに、トイレ砂購入の費用を低減することができる動物用トイレを提供する。【解決手段】支持部材１１が、内部に収納室２１を有し、収納室２１が上部開口２４および側部開口２５を有している。引出板１２が、収納室２１の内部で引出板ガイド２６により支持されて、上部開口２４の下方に配置されている。引出篩１３が、収納室２１の内部で篩ガイド２７により支持されて、引出板１２の下方に配置されている。引出篩１３は、ペット用トイレ砂１とペットの糞２とを篩分け可能である。引出トレイ１４が、収納室２１の内部でトレイガイド２８により支持されて、引出篩１３の下方に配置されている。ストッパー１５が、収納室２１の内部で側部開口２５ａの長さ全体に渡って設けられ、引出板１２の上面に接している。【選択図】図４
2006320295.tif 000002
【特許請求の範囲】
【請求項１】
支持部材と引出板と引出篩と引出トレイとストッパーとを有し、
前記支持部材は内部に収納室を有し、前記収納室は上部開口および側部開口を有し、前記側部開口を挟む内部両側面の互いに対向する位置に、前記引出板を支持して前記側部開口から外へのスライドを案内する引出板ガイドと、前記引出板ガイドの下方で前記引出篩を支持して前記側部開口から外へのスライドを案内する篩ガイドと、前記篩ガイドの下方で前記引出トレイを支持して前記側部開口から外へのスライドを案内するトレイガイドとを有し、
前記引出板は前記収納室の内部で前記引出板ガイドにより支持されて前記上部開口の下方に配置され、
前記引出篩はペット用トイレ砂とペットの糞とを篩分け可能であって、前記収納室の内部で前記篩ガイドにより支持されて前記引出板の下方に配置され、
前記引出トレイは前記収納室の内部で前記トレイガイドにより支持されて前記引出篩の下方に配置され、
前記ストッパーは前記引出板を前記収納室から引き出すときその上のペット用トイレ砂およびペットの糞を前記収納室の内部に留めるよう前記収納室の内部で前記側部開口の長さ全体に渡って設けられて前記引出板の上面に接することを、
特徴とする動物用トイレ。
【発明の詳細な説明】
【技術分野】
【０００１】
本発明は、動物用トイレに関する。
【背景技術】
【０００２】
一般的に犬や猫などの動物用トイレとして、箱や受皿などの容器が使用されている（例えば、特許文献１参照）。この場合、容器の内部にペット用トイレ砂を敷いておき、犬や猫が排泄した後、尿で固まったトイレ砂の塊や糞をスコップで選り分けて捨てたり、トイレ砂をすべて取り換えたりしている。
【０００３】
【特許文献１】特開平８−３７９８１号公報
【発明の開示】
【発明が解決しようとする課題】
【０００４】
しかしながら、一般的な動物用トイレでは、尿で固まったトイレ砂の塊や糞をスコップで選り分けて捨てる場合、手間がかかるうえ、手が触れることがあり、不衛生であるという課題があった。また、排泄のたびにトイレ砂をすべて取り換える場合、トイレ砂の消費量が増えるため、その購入に費用が嵩むという課題もあった。
【０００５】
本発明は、このような従来の課題に着目してなされたもので、尿で固まったトイレ砂の塊や糞を容易かつ衛生的に選り分けて捨てることができるとともに、トイレ砂購入の費用を低減することができる動物用トイレを提供することを目的とする。
【課題を解決するための手段】
【０００６】
上記目的を達成するために、本発明に係る動物用トイレは、支持部材と引出板と引出篩と引出トレイとストッパーとを有し、前記支持部材は内部に収納室を有し、前記収納室は上部開口および側部開口を有し、前記側部開口を挟む内部両側面の互いに対向する位置に、前記引出板を支持して前記側部開口から外へのスライドを案内する引出板ガイドと、前記引出板ガイドの下方で前記引出篩を支持して前記側部開口から外へのスライドを案内する篩ガイドと、前記篩ガイドの下方で前記引出トレイを支持して前記側部開口から外へのスライドを案内するトレイガイドとを有し、前記引出板は前記収納室の内部で前記引出板ガイドにより支持されて前記上部開口の下方に配置され、前記引出篩はペット用トイレ砂とペットの糞とを篩分け可能であって、前記収納室の内部で前記篩ガイドにより支持されて前記引出板の下方に配置され、前記引出トレイは前記収納室の内部で前記トレイガイドにより支持されて前記引出篩の下方に配置され、前記ストッパーは前記引出板を前記収納室から引き出すときその上のペット用トイレ砂およびペットの糞を前記収納室の内部に留めるよう前記収納室の内部で前記側部開口の長さ全体に渡って設けられて前記引出板の上面に接することを、特徴とする。
【０００７】
本発明に係る動物用トイレは、収納室の上部開口から引出板の上面にペット用トイレ砂を敷き詰めて使用される。小型犬や猫などのペットがトイレ砂の上に尿や糞を排泄したならば、引出板を側部開口から外へスライドさせて収納室から引き出す。このとき、ストッパーが引出板の上のペット用トイレ砂およびペットの糞を収納室の内部に留め、引出板の上から外れたペット用トイレ砂およびペットの糞はその下方の引出篩の上に落下する。
【０００８】
落下したペット用トイレ砂およびペットの糞は、引出篩により篩い分けされ、尿で固まったトイレ砂の塊や糞は引出篩の上に残り、他のペット用トイレ砂は引出篩の下方の引出トレイの上に落ちる。引出篩を収納室から引き出せば、尿で固まったトイレ砂の塊や糞のみを容易かつ衛生的に選り分けて捨てることができる。次に、引出トレイを収納室から引き出し、その中のペット用トイレ砂を引出板の上面に敷き詰める。これにより、利用可能なペット用トイレ砂を繰返し使用することができ、ペットの排泄のたびにトイレ砂を全て取り換える場合に比べて、トイレ砂購入の費用を低減することができる。
【０００９】
本発明に係る動物用トイレで、ストッパーは、支持部材に固定されていても、支持部材に着脱可能に取り付けられていてもよい。また、支持部材の上面には、上部開口の外側に簀の子状の砂落としが設けられていることが好ましい。この場合、ペットが砂落としの上を通ることで、排泄の際に足の裏に付いたトイレ砂が砂落としの上で払い落とされるので、室内にトイレ砂が散らばりにくくなる。さらに、支持部材には、砂落としの下方から横方向に引出し可能に踏み台が収納されていることが好ましい。この場合、引出板の上に登るのが困難な子供のペットや小さなペットが踏み台の上に上がって引出板の上に登るのを容易にすることができる。
【発明の効果】
【００１０】
本発明によれば、衛生的で、尿で固まったトイレ砂の塊や糞を容易に選り分けて捨てることができるとともに、トイレ砂購入の費用を低減することができる動物用トイレを提供することができる。
【発明を実施するための最良の形態】
【００１１】
以下、図面に基づき本発明の実施の形態について説明する。
図１乃至図５は、本発明の実施の形態の動物用トイレを示している。
図１に示すように、動物用トイレ１０は、支持部材１１と引出板１２と引出篩１３と引出トレイ１４とストッパー１５と砂落とし１６と踏み台１７とを有している。
【００１２】
支持部材１１は、やや細長い六面体の箱型で、上底より下底が短い等脚台形状の両端面１１ａ，１１ｂを有している。支持部材１１は、長さ方向に沿って互いに隣接した収納室２１と砂回収室２２とを内部に有している。収納室２１および砂回収室２２は、仕切壁２３で仕切られている。収納室２１は、支持部材１１の上面１１ｃに上部開口２４を有し、支持部材１１の一方の端面１１ａに３つの側部開口２５ａ，２５ｂ，２５ｃを有している。収納室２１は、各側部開口２５ａ，２５ｂ，２５ｃを挟む内部両側面の互いに対向する位置に、それぞれ引出板ガイド２６と篩ガイド２７とトレイガイド２８とを有している。
【００１３】
引出板ガイド２６は、引出板１２を支持して、側部開口２５ａから外へのスライドを案内するよう設けられている。篩ガイド２７は、引出板ガイド２６の下方で引出篩１３を支持して、側部開口２５ｂから外へのスライドを案内するよう設けられている。トレイガイド２８は、篩ガイド２７の下方で引出トレイ１４を支持して、側部開口２５ｃから外へのスライドを案内するよう設けられている。トレイガイド２８は、その底面が支持部材１１の底面１１ｄを成している。砂回収室２２は、支持部材１１の上面１１ｃに砂落とし用開口２９を有し、支持部材１１の他方の端面１１ｂの下部に踏み台用開口３０を有している。
【００１４】
図２に示すように、引出板１２は、矩形状の底板３１と、底板３１の両縁３１ａ，３１ｂおよび一端３１ｃに底板３１の同じ側に立ち上がるよう設けられた側壁３２とを有している。引出板１２は、底板３１の一端３１ｃに位置する側壁３２の外側に、取っ手３３を有している。引出板１２は、側壁３２がない底板３１の他端３１ｄを先頭にして側部開口２５ａから挿入され、図１に示すように、収納室２１の内部で引出板ガイド２６により支持されて上部開口２４の下方に配置されている。
【００１５】
図２に示すように、引出篩１３は、矩形板状の篩３４と、篩３４の周囲に篩３４の同じ側に立ち上がるよう設けられた周壁３５とを有している。引出篩１３は、篩３４の一端３４ａに位置する周壁３５の外側に、取っ手３６を有している。引出篩１３は、篩３４の他端３４ｂを先頭にして側部開口２５ｂから挿入され、図１に示すように、収納室２１の内部で篩ガイド２７により支持されて引出板１２の下方に配置されている。引出篩１３は、篩３４により、ペット用トイレ砂とペットの糞とを篩分け可能に構成されている。なお、具体的な一例では、篩３４の目の大きさは５ｍｍ×３０ｍｍ、篩３４の目同士の間隔は３ｍｍである。
【００１６】
図２に示すように、引出トレイ１４は、矩形状の底板３７と、底板３７の周囲に底板３７の同じ側に立ち上がるよう設けられた周壁３８とを有している。引出トレイ１４は、底板３７の一端３７ａに位置する周壁３８の外側に、取っ手３９を有している。引出トレイ１４は、底板３７の端部３７ｂを先頭にして側部開口２５ｃから挿入され、図１に示すように、収納室２１の内部でトレイガイド２８により支持されて引出篩１３の下方に配置されている。
【００１７】
図１に示すように、ストッパー１５は、細長く薄い可撓性のプラスチック板の片側に等間隔で多数の切れ目を入れて成っている。ストッパー１５は、収納室２１の内部で側部開口２５ａの長さ全体に渡って設けられている。ストッパー１５は、側部開口２５ａに近い側の上部開口２４の縁２４ａに沿って、引出板１２を引き出す方向に対して反対方向に傾斜して支持部材１１に固定されている。ストッパー１５は、引出板１２の底板３１の上面および底板３１の両縁３１ａ，３１ｂの側壁３２の内面に接するよう設けられている。これにより、ストッパー１５は、引出板１２を収納室２１から引き出すとき、その上のペット用トイレ砂およびペットの糞を収納室２１の内部に留めるようになっている。ストッパー１５は、引出板１２を引き出すとき、変形したり破損したりするのを防ぐよう、側部開口２５ａ側に補強材４０を有している。
【００１８】
砂落とし１６は、簀の子状で、上部開口２４の外側に位置する砂落とし用開口２９に設けられている。
踏み台１７は、箱型で、内部に回収空間４１を有している。踏み台１７は、砂落とし１６の下方から横方向に引出し可能に、踏み台用開口３０に収納されており、砂回収室２２の内部で砂落とし１６の下方に配置されている。踏み台１７は、砂落とし１６から落ちるトイレ砂を回収空間４１の内部に回収するよう、砂回収室２２の内部に位置する上面に回収用開口４２を有している。
【００１９】
次に、作用について説明する。
動物用トイレ１０は、収納室２１の上部開口２４から引出板１２の上面にペット用トイレ砂１を敷き詰めて使用される。このとき、図３に示すようなスコップ４３で、ペット用トイレ砂１を一様な厚さにならすとよい。小型犬や猫などのペットがトイレ砂１の上に尿や糞を排泄したならば、引出板１２を側部開口２５ａから外へスライドさせて収納室２１から引き出す。このとき、図４に示すように、ストッパー１５が引出板１２の上のペット用トイレ砂１およびペットの糞２を収納室２１の内部に留め、引出板１２の上から外れたペット用トイレ砂１およびペットの糞２はその下方の引出篩１３の上に落下する。
【００２０】
落下したペット用トイレ砂１およびペットの糞２は、引出篩１３により篩い分けされ、尿で固まったトイレ砂１の塊３や糞２は引出篩１３の上に残り、他のペット用トイレ砂１ａは引出篩１３の下方の引出トレイ１４の上に落ちる。引出篩１３を収納室２１から引き出せば、尿で固まったトイレ砂１の塊３や糞２のみを容易かつ衛生的に選り分けてゴミ袋などに捨てることができる。次に、引出トレイ１４を収納室２１から引き出し、その中のペット用トイレ砂１ａを引出板１２の上面に敷き詰める。これにより、利用可能なペット用トイレ砂１ａを繰返し使用することができ、ペットの排泄のたびにトイレ砂１を全て取り換える場合に比べて、トイレ砂購入の費用を低減することができ、経済的である。
【００２１】
動物用トイレ１０は、引出板１２の上に登るのが困難な子供のペットや小さなペットでも、踏み台１７の上に上がって引出板１２の上に登るのを容易にすることができる。また、ペットが砂落としの上を通ることで、排泄の際に足の裏に付いたトイレ砂１が砂落とし１６の上で払い落とされるので、室内にトイレ砂１が散らばりにくくなる。砂落とし１６で払い落とされたトイレ砂１は、砂回収室２２の内部で、回収用開口４２から踏み台１７の回収空間４１の内部に落ちる。踏み台１７を砂回収室２２から引き出し、その中のペット用トイレ砂１を引出板１２の上面に敷き詰めれば、そのペット用トイレ砂１を繰返し使用することができる。
【００２２】
なお、図５に示すように、動物用トイレ１０は、砂落とし１６の位置にペット用の出入口５０を確保しておき、上部開口２４の上方を覆うカバー５１を備えていてもよい。この場合、ペットがトイレ砂１を蹴散らしたとき、カバー５１により、ペット用トイレ砂１が動物用トイレ１０の周囲に散らばるのを防ぐことができる。また、ペットが出入口５０から出入りするとき必ず砂落とし１６を通るため、ペットの足の裏に付いたトイレ砂１をより確実に砂落とし１６で払い落とすことができ、室内にトイレ砂１を散らばりにくくすることができる。
【図面の簡単な説明】
【００２３】
【図１】本発明の実施の形態の動物用トイレを示す（ａ）平面図、（ｂ）Ａ−Ａ線断面図、（ｃ）正面図である。
【図２】図１に示す動物用トイレの（ａ）引出板を示す斜視図、（ｂ）引出篩を示す斜視図、（ｃ）引出トレイを示す斜視図である。
【図３】図１に示す動物用トイレに使用されるスコップを示す（ａ）側面図、（ｂ）平面図である。
【図４】図１に示す動物用トイレの使用状態を示す（ａ）平面図、（ｂ）Ｂ−Ｂ線断面図である。
【図５】図１に示す動物用トイレのカバーを取り付けた変形例を示す背面図である。
【符号の説明】
【００２４】
１    トイレ砂
２    糞
３    塊
１０  動物用トイレ
１１  支持部材
１２  引出板
１３  引出篩
１４  引出トレイ
１５  ストッパー
１６  砂落とし
１７  踏み台
２１  収納室
２２  砂回収室
２３  仕切壁
２４  上部開口
２５ａ，２５ｂ，２５ｃ  側部開口
２６  引出板ガイド
２７  篩ガイド
２８  トレイガイド
２９  砂落とし用開口
３０  踏み台用開口
【図１】
2006320295.tif 000003
【図２】
2006320295.tif 000004
【図３】
2006320295.tif 000005
【図４】
2006320295.tif 000006
【図５】
2006320295.tif 000007
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
支持部材と引出板と引出篩と引出トレイとストッパーとを有し、
前記支持部材は内部に収納室を有し、前記収納室は上部開口および側部開口を有し、前記側部開口を挟む内部両側面の互いに対向する位置に、前記引出板を支持して前記側部開口から外へのスライドを案内する引出板ガイドと、前記引出板ガイドの下方で前記引出篩を支持して前記側部開口から外へのスライドを案内する篩ガイドと、前記篩ガイドの下方で前記引出トレイを支持して前記側部開口から外へのスライドを案内するトレイガイドとを有し、
前記引出板は前記収納室の内部で前記引出板ガイドにより支持されて前記上部開口の下方に配置され、
前記引出篩はペット用トイレ砂とペットの糞とを篩分け可能であって、前記収納室の内部で前記篩ガイドにより支持されて前記引出板の下方に配置され、
前記引出トレイは前記収納室の内部で前記トレイガイドにより支持されて前記引出篩の下方に配置され、
前記ストッパーは細長く薄い可撓性のプラスチック板の片側に等間隔で多数の切れ目を入れて成り、前記引出板を前記収納室から引き出すときその上のペット用トイレ砂およびペットの糞を前記収納室の内部に留めるよう前記収納室の内部で引出板を引き出す方向に対して反対方向に傾斜して前記側部開口の長さ全体に渡って設けられて前記引出板の上面に接することを、
特徴とする動物用トイレ。
【手続補正２】
【補正対象書類名】明細書
【補正対象項目名】０００６
【補正方法】変更
【補正の内容】
【０００６】
上記目的を達成するために、本発明に係る動物用トイレは、支持部材と引出板と引出篩と引出トレイとストッパーとを有し、前記支持部材は内部に収納室を有し、前記収納室は上部開口および側部開口を有し、前記側部開口を挟む内部両側面の互いに対向する位置に、前記引出板を支持して前記側部開口から外へのスライドを案内する引出板ガイドと、前記引出板ガイドの下方で前記引出篩を支持して前記側部開口から外へのスライドを案内する篩ガイドと、前記篩ガイドの下方で前記引出トレイを支持して前記側部開口から外へのスライドを案内するトレイガイドとを有し、前記引出板は前記収納室の内部で前記引出板ガイドにより支持されて前記上部開口の下方に配置され、前記引出篩はペット用トイレ砂とペットの糞とを篩分け可能であって、前記収納室の内部で前記篩ガイドにより支持されて前記引出板の下方に配置され、前記引出トレイは前記収納室の内部で前記トレイガイドにより支持されて前記引出篩の下方に配置され、前記ストッパーは細長く薄い可撓性のプラスチック板の片側に等間隔で多数の切れ目を入れて成り、前記引出板を前記収納室から引き出すときその上のペット用トイレ砂およびペットの糞を前記収納室の内部に留めるよう前記収納室の内部で引出板を引き出す方向に対して反対方向に傾斜して前記側部開口の長さ全体に渡って設けられて前記引出板の上面に接することを、特徴とする。